(57)【要約】【課題】１台の凝集剤ユニットで凝集剤を供給投入する、１個の攪拌タンクを用いる事なく１台の凝集剤ユニットで、受け側の攪拌タンクを２分割にして攪拌タンク２個とし、攪拌タンクＡと攪拌タンクＢの境目にホッパを設け、凝集剤を必要とする攪拌タンクの方にシーソー運動にて傾けて切り替えし供給する手段を設けると連続攪拌ができる、凝集剤供給攪拌装置及び凝集剤の切り替え方法を得ることにある。【解決手段】攪拌タンクを2分割にすると攪拌タンクが2個に成り、攪拌タンクＡの排出が終了するのを待つ事なく、攪拌タンクＢの攪拌が始められるので待機時間が必要とせず、攪拌できるので凝集剤供給攪拌装置及び凝集剤の切り替え方法を構成している。また、ホッパのシーソー運動による切り替えで凝集剤の供給が可能となり一方が凝集剤を供給中であっても、もう一方の攪拌タンク側で攪拌できるので凝集剤供給攪拌装置及び凝集剤の切り替え方法を構成している。【選択図】      図２
2013173098.tif 000002
【特許請求の範囲】
【請求項１】
２個の攪拌タンクＡ（７）と攪拌タンクＢ（８）と1台の凝集剤ユニット（１）と、凝集剤ユニット（１）より凝集剤を必要とする攪拌タンクに対してシーソー運動で切り替え供給するホッパー（６）と、から構成したことを特徴とする請求項１に記載の凝集剤供給攪拌装置。
【請求項２】
凝集剤ユニット（１）に収納した凝集剤を、凝集剤ユニット（１）の吐出側に連設したホッパー（６）を介して配置された攪拌タンクＡ（７）と攪拌タンクＢ（８）とに対し、ホッパー（６）を手動又は自動でシーソー運動させることにより、凝集剤を攪拌タンクＡ（７）又は攪拌タンクＢ（８）とに切り替えて供給することを特徴とする凝集剤の供給方法。
【発明の詳細な説明】
【技術分野】
【０００１】
本発明は、廃棄食品、有害物を含む化学物質等を回収し、回収した回収処理物に凝集剤と水とを混合して凝集液体にする方法に係り、凝集剤ユニットに入った凝集剤を攪拌タンクの中に投入して攪拌する凝集剤供給攪拌装置及び凝集剤の切り替え方法に関する。  
【背景技術】
【０００２】
従来の凝集剤供給攪拌装置及び凝集剤の切り替え方法は、図４に示す如く、攪拌タンク（２０）と凝集剤ユニット（１）とが１組として構成されており、凝集剤ユニット（１）は旋回モーター（２１）により旋回アーム（２）を旋回することで凝集剤の 落下を補助する。
また凝集剤は、切り替え軸モーター（２２）で切り替え軸（３）を回すことで、凝集剤の必要量が攪拌タンク（２０）に供給投入される。
回収処理液体は予め電動式ボールバルブ（１５）より供給済みなので、攪拌機（１９）で攪拌し凝集液体にする。攪拌タンク（２０）の凝集液体は電動式ボールバルブＥ（２４）を開き排出が終了するまでの時間は待機させ、排出が終わると電動式ボールバルブ（１５）を開くことで回収処理液体を攪拌タンク（２０）に供給して攪拌機（１９）で攪拌し凝集液体にするように構成されている。
【先行技術文献】
【特許文献】
【０００３】
【特許文献１】特開２００９−２４０９４２号公報
【特許文献２】特開２００４−２３０２１２号公報
【特許文献３】特開２００６−０７５７５０号公報
【発明の概要】
【発明が解決しようとする課題】
【０００４】
しかしながら、従来の方法では攪拌タンク（２０）の凝集液体の排出が終わるまで待機後、新たな回収処理液体を攪拌タンク（２０）に供給するので、待機時間が必要になるという欠点があつた。
【課題を解決するための手段】
【０００５】
上記目的を達成するために、請求項１の発明は、２個の攪拌タンクＡ（７）と攪拌タンクＢ（８）と1台の凝集剤ユニット（１）と、凝集剤ユニット（１）より凝集剤を必要とする攪拌タンクに対してシーソー運動で切り替え供給するホッパー（６）と、から構成したことを特徴とする。
【０００６】
また、請求項２の発明では、凝集剤ユニット（１）に収納した凝集剤を、凝集剤ユニット（１）の吐出側に連設したホッパー（６）を介して配置された攪拌タンクＡ（７）と攪拌タンクＢ（８）とに対し、ホッパー（６）を手動又は自動でシーソー運動させることにより、凝集剤を攪拌タンクＡ（７）又は攪拌タンクＢ（８）とに切り替えて供給することを特徴とする。
【発明の効果】
【０００７】
以上の説明から明らかなように、本発明にあっては次に列挙する効果が得られる。
【０００８】
請求項１の装置では、（１）攪拌タンク（２０）を2分割にすると攪拌タンクが2個に成り、体積及び設置面積は同じであるが、攪拌タンクＡ（７）の排出が終了するのを待つ事なく、攪拌タンクＢ（８）の攪拌が始められるので待機時間を必要とせず、順次に攪拌できる。
また追加部品として仕切り板（１８）、ホッパー（６）、切り替えシリンダー（５）と取り付け部品とで構成されているので凝集剤ユニット（１）１台で2台あるのと同じ機能が得られる。
【０００９】
また、請求項２の方法では、前記（１）による待機時間を必要とせず、ホッパー（６）のシーソー運動による切り替えで凝集剤の供給が可能となるので、一方が凝集剤を供給中であってももう一方の攪拌タンク側で攪拌ができるので、作業の無駄が省け処理時間を短縮することができる。
【図面の簡単な説明】
【００１０】
【図１】本発明を実施するための最良の第１の形態の凝集剤供給攪拌装置の構成を示す断面図である。
【図２】本発明を実施するための最良の第２の形態のホッパ部の構成を示す拡大図である。
【図３】本発明を実施するための最良の第１の形態の要部の拡大図である。
【図４】従来の凝集剤供給攪拌装置の構成を示す断面図である。
【発明を実施するための形態】
【００１１】
以下、本発明の実施の形態を図に基づいて説明する。
【実施例１】
【００１２】
図１は、本発明装置の実施例１の断面図であって、原水タンク又はプール（図示なし）から送られてきた回収処理液体は、電動式ボールバルブＡ（１１）により攪拌タンクＡ（７）に供給が終わると、凝集剤ユニット（１）の旋回モーター（２１）で回る旋回アーム（２）に誘導された凝集剤は切り替え軸モーター（２２）で回転する切り替え軸（３）の溝部に凝集剤が入り、連続して回り溝部が下向きになった時に凝集剤が投入口（４）を通過して落下する。
凝集剤の必要量は、図３の切り替え軸（３）に取り付けたスリット板（１６）の回転を検知する光電センサー（１７）の受信により、あらかじめ設定された回転数を積算することにより決定している。
凝集剤の使用量は切り替えシリンダー（５）の圧縮によりシーソー運動でホッパー（６）から攪拌タンクＡ（７）に供給投入し、攪拌機Ａ（９）（又はエアーバイブロー）で攪拌して凝集液体になると、電動式ボールバルブＣ（１３）を開き、濾過装置（２３）に投入される。
また切り替えシリンダー（５）のロットを伸ばすと、シーソー運動によりホッパー（６）を切り替えて、ホッパー（６）から攪拌タンクＢ（８）に凝集剤を供給投入し、攪拌機Ｂ（１０）（又はエアーバイブロー）で攪拌して凝集液体になると、電動式ボールバルブＤ（１４）が開くことにより、凝集液体は濾過装置（２３）に供給され、水とフロックに分離される。
【実施例２】
【００１３】
図２は本発明装置の実施例２の拡大図であって、投入口（４）よりホッパー（６）をシーソー運動させたのちに凝集剤を必要とする攪拌タンク側に必要量を投入する。攪拌タンクに凝集剤が必要量投入されると攪拌されて凝集液となる。
ホッパー（６）シリンダーで駆動する場合は自動で起動するが、シリンダーを用いない場合は手動のシーソー運動をする。
ホッパー（６）は、その右下に設けた切り替えシリンダー（５）のロットにクレビスを配置した部材を取り付けるとともに、ヘット側はクレビスを配置した部材を仕切り板（１８）に取り付けることにより、自由クランプになり、切り替えシリンダー（５）でホッパー（６）を動作させると、自動によるシーソー運動で切り替えができる。
本発明は、受け側の攪拌タンク（２０）に図１の仕切り板（１８）を取り付けることにより攪拌タンク（２０）を２分割して半分の体積にすることで、攪拌タンクＡ（７）及び攪拌タンクＢ（８）に分割し、そこに凝集剤を切り替えて供給投入する手段として、図２のホッパー（６）を設け、切り替えシリンダー（５）で上下運動を行う事により、凝集剤を必要とする側の攪拌タンクの方に使用量を交互に供給投入する事ができるように構成したものである。
攪拌タンクＡ（７）の攪拌が終わり、排出が終了するのを待つ事なく、攪拌タンクＢ（８）の攪拌が始められるので待機時間が必要としない。
【産業上の利用可能性】
【００１４】
本発明は、凝集剤供給攪拌装置及び凝集剤の切り替え方法を製造する産業で利用される。
【符号の説明】
【００１５】
１      凝集剤ユニット
２      旋回アーム
３      切り替え軸 
４      投入口 
５      切り替えシリンダー 
６      ホッパ
７      攪拌タンクＡ
８      攪拌タンクＢ
９      攪拌機Ａ
１０    攪拌機Ｂ
１１    電動式ボールバルブＡ
１２    電動式ボールバルブＢ
１３    電動式ボールバルブＣ
１４    電動式ボールバルブＤ
１５    電動式ボールバルブ
１６    スリット板
１７    光電センサー
１８    仕切り板
１９    攪拌機
２０    攪拌タンク
２１    旋回モーター
２２    切り替え軸モーター  
２３    濾過装置
２４    電動式ボールバルブＥ
【図１】
2013173098.tif 000003
【図２】
2013173098.tif 000004
【図３】
2013173098.tif 000005
【図４】
2013173098.tif 000006